(57)【要約】【課題】オペレータ（人）にとって受信アンテナの調整を容易化する。【解決手段】受信アンテナＡ２の角度の調整を支援する受信アンテナ調整支援装置で、角度変化手段３１、３２、２１、２３が人により入力された指示に応じて又は装置により予め設定された態様で受信アンテナの角度を変化させ、受信状況検出手段２２が受信アンテナによる受信状況に関する情報を検出し、記録手段３１、３２が人により入力された指示に応じて受信アンテナの１つ以上の角度について受信アンテナの角度に関する情報及び受信状況に関する情報を有する調整候補データをメモリに記録し、表示手段３１、３３がメモリに記録された調整候補データに関する情報を画面に表示し、角度設定手段３１、３２、２１、２３が人により入力された指示に応じてメモリに記録された１つの調整候補データに基づく角度に受信アンテナの角度を設定する。【選択図】  図１
2009260423.tif 000002
【特許請求の範囲】
【請求項１】
受信アンテナの角度の調整を支援する受信アンテナ調整支援装置において、
人により入力された指示に応じて又は装置により予め設定された態様で前記受信アンテナの角度を変化させる角度変化手段と、
前記受信アンテナによる受信状況に関する情報を検出する受信状況検出手段と、
人により入力された指示に応じて、前記受信アンテナの１つ以上の角度について、前記受信アンテナの角度に関する情報及び前記受信状況検出手段により検出された前記受信状況に関する情報を有する調整候補データをメモリに記録する記録手段と、
前記メモリに記録された調整候補データに関する情報を画面に表示する表示手段と、
人により入力された指示に応じて、前記メモリに記録された１つの調整候補データに基づく角度に前記受信アンテナの角度を設定する角度設定手段と、
を備えたことを特徴とする受信アンテナ調整支援装置。
【発明の詳細な説明】
【技術分野】
【０００１】
本発明は、例えばパラボラアンテナからなる受信アンテナの調整を支援する装置に関し、特に、オペレータ（人）にとって受信アンテナの調整を容易化した受信アンテナ調整支援装置に関する。
【背景技術】
【０００２】
例えば、放送システムにおけるテレビジョン中継等では、送信側のＦＰＵ（Ｆｉｅｌｄ  Ｐｉｃｋ−ｕｐ  Ｕｎｉｔ）等からなる移動体のパラボラアンテナから送信されるマイクロ波帯のデジタル信号を受信側のＦＰＵ等のパラボラアンテナにより受信することが行われている。
また、受信側では、パラボラ回転装置によりパラボラアンテナの方向を調整することが行われる。パラボラ回転装置による方向調整としては、例えば、遅延プロファイル情報などを使用して、オペレータによる手動で最適な角度に方向調整する方式がある。
【０００３】
ここで、送信側と受信側とは、直接的に通信することが好ましいが、実際には、都心などでは、見通しが利くことはまれであり、高層ビルや地形などにより生じる反射波や回折波を利用して無線信号（電波）を通信することが行われる。
一般に、デジタル伝送は、アナログ伝送と比べて、通信品質を向上させることが可能であり、反射波などを利用するためには適している。
【０００４】
【特許文献１】特開２００６−２８７３７１号公報
【発明の開示】
【発明が解決しようとする課題】
【０００５】
しかしながら、上述のようなパラボラ回転装置による方向調整の作業では、方向調整時の最適角度などをオペレータが自ら記憶して方向調整の作業を行う必要があり、オペレータにとって作業の負荷が大きい場合があった。
本発明は、このような従来の事情に鑑み為されたもので、オペレータにとって受信アンテナの調整を容易化することができる受信アンテナ調整支援装置を提供することを目的とする。
【課題を解決するための手段】
【０００６】
上記目的を達成するため、本発明では、受信アンテナの角度の調整を支援する受信アンテナ調整支援装置において、次のような構成とした。
すなわち、角度変化手段が、人により入力された指示に応じて、又は、装置により予め設定された態様で、前記受信アンテナの角度を変化させる。受信状況検出手段が、前記受信アンテナによる受信状況に関する情報を検出する。記録手段が、人により入力された指示に応じて、前記受信アンテナの１つ以上の角度について、前記受信アンテナの角度に関する情報及び前記受信状況検出手段により検出された前記受信状況に関する情報を有する調整候補データをメモリに記録する。表示手段が、前記メモリに記録された調整候補データに関する情報を画面に表示する。角度設定手段が、人により入力された指示に応じて、前記メモリに記録された１つの調整候補データに基づく角度に、前記受信アンテナの角度を設定する。
【０００７】
従って、例えば、受信アンテナの角度が変化させられているときに、人が指示することにより、幾つかの角度で、その角度の情報やその角度における受信状況の情報を調整候補データとしてメモリに記録させ、その後、メモリに記録された調整候補データに関する情報が表示されて、それを見て人が指示することにより、良好であると人が判断した１つの調整候補データに係る角度に受信アンテナの角度を設定することができる。このように、オペレータ（人）にとって受信アンテナの調整を容易化することができる。
【０００８】
ここで、受信アンテナとしては、種々なアンテナが用いられてもよく、例えば、パラボラアンテナを用いることができる。
また、角度としては、例えば、水平方向の角度や、垂直方向の角度がある。
また、人により指示を入力する手段としては、種々なものが用いられてもよく、例えば、キーボードやマウスなどを用いることができる。
また、装置により予め設定された態様で受信アンテナの角度を変化させる態様としては、種々なものが用いられてもよく、例えば、水平方向に回転させる態様や、垂直方向に上下させる態様や、これらを組み合わせた態様などを用いることができる。
【０００９】
また、受信アンテナによる受信状況に関する情報としては、種々なものが用いられてもよく、例えば、受信状況の良し悪しを示すような情報を用いることができ、具体例としては、ＢＥＲ（Ｂｉｔ  Ｅｒｒｏｒ  Ｒａｔｅ）などの誤り率や、ＢＬ（Ｂｅｆｏｒｅ  Ｌｉｍｉｔ）や、受信マージンなどを用いることができる。
また、受信アンテナの角度に関する情報としては、例えば、その角度自体の情報が用いられてもよく、或いは、その角度を実現するための制御値の情報（制御情報）が用いられてもよい。
【００１０】
また、受信アンテナの角度に関する情報及び受信状況に関する情報を有する調整候補データとしては、例えば、他の情報を含むものであってもよい。
また、調整候補データに関する情報としては、種々な情報が用いられてもよく、例えば、受信アンテナの角度に関する地図表示の情報や、複数の調整候補データの内容を示す一覧表示の情報などを用いることができる。
【発明の効果】
【００１１】
以上説明したように、本発明に係る受信アンテナ調整支援装置によると、オペレータ（人）にとって受信アンテナの調整を容易化することができる。
【発明を実施するための最良の形態】
【００１２】
本発明に係る実施例を図面を参照して説明する。
図１には、本発明の一実施例に係るテレビジョン放送のＦＰＵ中継に用いられるデジタル伝送システムの構成例を示してある。
本例のデジタル伝送システムでは、送信設備（本例では、移動局）１と、受信設備（本例では、基地局）２と、本社（その設備）３が設けられており、デジタル信号を伝送する。
【００１３】
送信設備１としては、パラボラアンテナＡ１を有する送信ＦＰＵ１１を備えている。
受信設備２としては、パラボラアンテナＡ２及びパラボラ回転装置２１と、デジタル受信ＦＰＵ２２と、これらを制御監視（制御や監視）する被制御監視処理部２３を備えている。
本社３の設備としては、制御監視処理部３１と、操作部３２と、表示部（本例では、ＦＰＵリモコン操作画面などの表示部）３３を備えている。
【００１４】
本例のデジタル伝送システムにおいて行われる動作の概略的な一例を示す。
送信設備１の送信ＦＰＵ１１は、例えば車両などに搭載されて移動することが可能であり、カメラにより取得された放送素材となる映像や音声の信号をパラボラアンテナＡ１から無線により送信する。この無線信号は、受信設備２のパラボラアンテナＡ２により受信される。
受信設備２のデジタル受信ＦＰＵ２２は、パラボラアンテナＡ２により受信された信号を受信処理し、必要に応じて、その受信信号（映像や音声）を被制御監視処理部２３を介して本社３へ送信する。
また、デジタル受信ＦＰＵ２２は、例えばＢＥＲ（Ｂｉｔ  Ｅｒｒｏｒ  Ｒａｔｅ）やＢＬ（Ｂｅｆｏｒｅ  Ｌｉｍｉｔ：アナログの受信電界（ｄＢ））などの受信状況に関する情報（受信状況情報）を被制御監視処理部２３へ出力する。
【００１５】
ここで、受信マージンは、例えば、Ｃ／Ｎ（キャリアとノイズの比）から算出することができる。
例えば、−６０ｄＢｍで受信しているときに、マージンが１０ｄＢであれば、−７０ｄＢｍで受信しても、ＢＥＲが許容される。
なお、ＢＥＲや受信マージンは、パラボラアンテナＡ２の角度によって変化する。
【００１６】
被制御監視処理部２３は、デジタル受信ＦＰＵ２２から入力された受信状況情報などを本社３の制御監視処理部３１へ例えば有線回線を介して送信し、また、本社３の制御監視処理部３１から受信した制御監視信号に基づいてデジタル受信ＦＰＵ２２の制御や監視を行う。
また、被制御監視処理部２３は、本社３の制御監視処理部３１から受信した制御監視信号に基づいてパラボラ回転装置２１を制御してパラボラアンテナＡ２の角度（水平角度や垂直角度）を制御し、また、パラボラ回転装置２１から入力される例えばパラボラアンテナＡ２の角度に関する情報を本社３の制御監視処理部３１へ例えば有線回線を介して送信する。
パラボラ回転装置２１は、被制御監視処理部２３からの制御に従って、パラボラアンテナＡ２の角度を変化させ、また、パラボラアンテナＡ２の角度に関する情報を被制御監視処理部２３へ出力する。
【００１７】
本社３の操作部３２は、オペレータ（人）により操作されて、その操作に応じた制御や監視に関する指示などを制御監視処理部３１へ出力する。
表示部３３は、制御監視処理部３１から入力された情報に基づいて、各種の情報をオペレータに対して画面に表示する。
制御監視処理部３１は、操作部３２から入力された指示などに基づいて、制御監視信号を例えば有線回線を介して被制御監視処理部２３へ送信することや、表示部３３における表示内容を変更することなどを行い、また、被制御監視処理部２３から受信した受信状況情報などに基づいて、表示部３３により各種の情報を表示することなどを行う。
【００１８】
本例では、操作部３２によりオペレータから受信設備２のパラボラアンテナＡ２の角度を変更する指示を受け付け、受け付けた指示を制御監視処理部３１から被制御監視処理部２３へ送信してパラボラ回転装置２１を制御することにより、パラボラアンテナＡ２の角度を制御する。
また、被制御監視処理部２３から制御監視処理部３１へ送信される受信状況情報やパラボラアンテナＡ２の角度の情報に基づいて、制御監視処理部３１が、表示部３３に、オペレータによるパラボラアンテナＡ２の角度の調整作業を支援するための情報を表示する。
【００１９】
次に、オペレータにより行われるパラボラアンテナＡ２の角度の調整作業と、装置（制御監視処理部３１など）により行われるその調整作業の支援処理について詳しく説明する。
自由に移動ができる送信設備１のパラボラアンテナＡ１からの無線信号（本例では、反射波など）の方向に、受信設備２のパラボラアンテナＡ２を向ける場合、オペレータは、まず、本社３の表示部３３を見て現在におけるパラボラアンテナＡ２の角度などを確認しながら、操作部３２を操作してパラボラアンテナＡ２の水平角度や垂直角度を制御することができる。
【００２０】
具体的には、まず、送信設備１のパラボラアンテナＡ１の角度を決定して固定する。このとき、受信設備２のパラボラアンテナＡ２に対して直接波で通信できなければ、反射波などを用いて間接的に通信するように、パラボラアンテナＡ１の角度を決定する。
次に、本社３では、オペレータが、表示部３３を見て操作部３２を操作することにより、例えば、受信設備２のパラボラアンテナＡ２の水平角度を３６０度回転させることや、当該パラボラアンテナＡ２の垂直角度を（例えば、−２０度から＋６０度の範囲などで）回転させることを行って、受信状況情報（本例では、ＢＥＲやＢＬなどの値）に基づいて受信状況が良好となると判断される１箇所以上のパラボラアンテナＡ２の角度を探して、その角度やそのときの受信状況情報などを制御監視処理部３１のメモリに記録（記憶）させる。
【００２１】
ここで、オペレータは、例えば、図２に示されるような画面表示（地図表示）を使用して、パラボラアンテナＡ２の角度制御の指示や、その角度や受信状況情報のメモリへの記録指示を行うことができ、また、当該画面表示の内容を見ることにより、現在のパラボラアンテナＡ２の角度における受信状況情報などを把握することができる。
【００２２】
図２には、表示部３３に表示される地図表示の画面の一例を示してある。
本例の地図表示の画面では、地図表示部１１１と、角度表示部１１２と、データ読み出しボタン１１３と、スタートボタン１１４と、手動操作ボタン部１１５と、受信状況表示部１１６が設けられている。
地図表示部１１１には、送信設備表示点１２１と、受信設備表示点１２２と、水平角度表示線１２３と、ハッチング部１２４が表示される。
【００２３】
ここで、受信設備表示点１２２は、受信設備２の位置を表している。本例では、受信設備２の位置は固定されており予め位置の情報が設定されているが、例えば、ＧＰＳ（Ｇｌｏｂａｌ  Ｐｏｓｉｔｉｏｎｉｇ  Ｓｙｓｔｅｍ）の機能などを使用して位置の情報を取得することも可能である。
送信設備表示点１２１は、送信設備１の位置を表している。本例では、送信設備１の位置は移動可能であり、例えば、ＧＰＳの機能などを使用して位置の情報を取得することができ、その位置の情報が送信設備１から受信設備２を介して本社３へ送信されて把握される。
【００２４】
水平角度表示線１２３は、受信設備２のパラボラアンテナＡ２の向き（水平角度）を表している。
受信設備表示点１２２を中心として、送信設備表示点１２１までの距離を半径とする円内における色が濃い所（ハッチング部）１２４は、受信設備２のパラボラアンテナＡ２の向き（水平角度）で好ましいと判定される向きの範囲を表している。この範囲は、例えば、予め設定された条件に基づいて決定され、本例では、ＢＥＲやＢＬや受信マージンが総合的に良好となる範囲が決定されるようにその条件が設定されている。このように、受信状態の表示として、受信状況が良好となると判定される角度をハッチングなどにより表示すると、オペレータにとって有益である。
なお、ここにおける初期の調整作業の段階では、地図表示部１１１には、角度調整中のパラボラアンテナＡ２に関するリアルタイムな情報が表示される。
【００２５】
角度表示部１１２には、受信設備２のパラボラアンテナＡ２の角度（水平角度、垂直角度）の値が表示される。
受信状況表示部１１６には、受信状況（本例では、ＢＥＲ、ＢＬ、受信マージン）を表す値が表示される。
手動操作ボタン部１１５には、上下左右のそれぞれを表すボタンと、記録ボタンが設けられている。
【００２６】
上下左右のボタンのそれぞれが押下されると、制御監視処理部３１は、上下に対応してパラボラアンテナＡ２の垂直角度を変化させて左右に対応してパラボラアンテナＡ２の水平角度を変化させるための制御監視信号を生成して被制御監視処理部２３へ送信する。
また、記録ボタンが押下されると、制御監視処理部３１は、そのときにおけるパラボラアンテナＡ２の角度や受信状況情報などをメモリに記録する。
【００２７】
オペレータは、操作部３２を操作して、上下のそれぞれを表すボタンを押下することにより、制御監視処理部３１と被制御監視処理部２３を介してパラボラ回転装置２１を制御して、パラボラアンテナＡ２の垂直方向の角度（垂直角度）を上下のそれぞれに変化させることができる。
同様に、オペレータは、操作部３２を操作して、左右のそれぞれを表すボタンを押下することにより、制御監視処理部３１と被制御監視処理部２３を介してパラボラ回転装置２１を制御して、パラボラアンテナＡ２の水平方向の角度（水平角度）を左右のそれぞれに変化させることができる。
これらにより、オペレータは、初期方向調整時に、手動で、パラボラアンテナＡ２の角度を適当な向きへ調整することができる。
【００２８】
また、オペレータは、操作部３２を操作して記録ボタンを押下することにより、その時点で設定されているパラボラアンテナＡ２の角度の情報や、その時点における受信状況情報などをメモリに記録させることができる。本例では、図３に示されるように、パラボラアンテナＡ２の水平方向（Ｈ）の角度の値及び垂直方向（Ｖ）の角度の値と、受信状況であるＢＥＲの値、ＢＬの値、受信マージンの値と、その時点の時刻である何時（Ｈ）、何分（Ｍ）、何秒（Ｓ）の値が、ひとまとめのデータとしてメモリに記録される。なお、時刻としては、調整開始時の時刻や、或いは、調整終了時の時刻や、或いは、調整中のときの任意の時刻（例えば、開始時と終了時との中間の時刻）などを用いることができる。
これにより、オペレータは、手動で、１箇所以上のパラボラアンテナＡ２の角度における情報をメモリに記録させることができる。通常、オペレータによる手動の調整では、受信状況が良好であると判断されるパラボラアンテナＡ２の角度が複数箇所発生する。
【００２９】
データ読み出しボタン１１３が押下されると、制御監視処理部３１は、オペレータの手動による方向調整時にメモリに記録されたデータを表示部３３に一覧表示する。
オペレータは、操作部３２を操作してデータ読み出しボタン１１３を押下することにより、図３に示されるような一覧表示の画面を表示させることができる。
【００３０】
図３には、表示部３３に表示される一覧表示の画面の一例を示してある。
本例では、メモリに記録されたデータとして、データの番号、ＢＥＲ、ＢＬ、受信マージン、角度（水平角度、垂直角度）、時刻（時、分、秒）が組となった情報が、１つ以上一覧で表示される。
【００３１】
図３に示される一覧表示中の番号（図３の例では、１〜６など）が押下されると、制御監視処理部３１は、押下された番号のデータに対応する地図表示を図２に示されるような画面で表示するように表示部３３を制御する。
オペレータは、操作部３２を操作して一覧表示中の任意の番号を押下することにより、その番号に対応したデータに基づく地図表示を画面に表示させることができる。この地図表示は、リアルタイムなものではなく、メモリに記録された１つのデータに対応するものである。
なお、オペレータは、図２に示される地図表示中のデータ読み出しボタン１１３の押下と、図３に示される一覧表示中の番号の押下により、地図表示と一覧表示を任意に切り替えて表示させることができる。
【００３２】
スタートボタン１１４が押下されると、制御監視処理部３１は、そのときに地図表示されているパラボラアンテナＡ２の角度（水平角度及び垂直角度）が実現されるように、制御監視信号を生成して、被制御監視処理部２３を介してパラボラ回転装置２１を制御することにより、パラボラアンテナＡ２の角度を制御する。
オペレータは、操作部３２を操作して、図３に示される一覧表示において最も良好であると考えられる番号を押下して地図表示させ、更に、スタートボタン１１４を押下することにより、その角度にパラボラアンテナＡ２の向きを制御することができる。
なお、オペレータは、このように装置によりパラボラアンテナＡ２の角度が制御された後に、必要であれば、手動操作ボタン部１１５の上下左右のボタンを押下することにより、パラボラアンテナＡ２の角度を更に微調整することができる。
【００３３】
ここで、本例では、図２に示される地図表示においてスタートボタン１１４が押下されることに応じて地図表示されているパラボラアンテナＡ２の角度が実現されるように装置が制御する構成例を示したが、例えば、図３に示される一覧表示において任意の番号が選択されて所定のボタン（例えば、その番号自体のボタン、又は、他に設けられるボタン）が押下されることに応じてその番号に対応したデータに基づくパラボラアンテナＡ２の角度が実現されるように装置が制御する構成が用いられてもよい。
また、以上に限られず、地図表示と一覧表示との間の切り替えの指示や、地図表示或いは一覧表示において所定のパラボラアンテナＡ２の角度を実現するように装置に制御させるための指示としては、それぞれ、種々な態様で行われてもよい。
【００３４】
以上のように、本例のデジタル伝送システムでは、パラボラアンテナＡ２の水平角度及び垂直角度の方向調整を行うことができるパラボラ回転装置２１を遠方（本例では、本社３）から監視制御する遠隔監視制御装置（本例では、本社３の設備）において、オペレータによる手動での方向調整時におけるパラボラ回転装置２１への制御に関する情報を記録して保存する。ここで、本例では、この制御に関する情報として、パラボラアンテナＡ２の角度の情報などを記録して保存したが、例えば、角度の情報の代わりに、その角度を実現するための制御情報（例えば、制御監視信号の内容）を記録して保存するような構成が用いられてもよい。
【００３５】
また、本例のデジタル伝送システムでは、記録保存した手動方向調整時における制御に関する情報と受信状態（本例では、ＢＥＲやＢＬや受信マージン）に基づいて、遠隔監視制御装置の表示部３３に受信状況や最適角度（本例では、ハッチング部１２４）などの情報を表示する。
また、本例のデジタル伝送システムでは、記録保存した手動方向調整時における（オペレータにより指定された）最適受信状態の制御に関する情報を再現するようにして、その最適受信状態におけるパラボラアンテナＡ２の角度を実現するように（装置により）方向調整を行う。
【００３６】
具体的には、本例では、まず、記録モードにおいて、受信設備２のパラボラアンテナＡ２の角度（水平角度や垂直角度）が変化させられるときに、オペレータからの指示により、１つ以上のポイントにおいて、パラボラアンテナＡ２の角度の情報及びそのときにおける受信状況の情報などがメモリに記録される。ここで、本例では、オペレータの手動による操作によりパラボラアンテナＡ２の角度が変化させられる態様例を示したが、例えば、装置により自動的にパラボラアンテナＡ２の角度が変化させられているときに、オペレータによりメモリへの記録指示が行われてもよい。
【００３７】
上記した記録モードの後に、アンテナ角度設定モードにおいて、オペレータは、メモリに記録されたデータについて地図表示や一覧表示を切り替えて実行させることができ、メモリに記録された１つ以上のデータの中から、最も良好であると判断されるデータを選択して指定することにより、そのデータに対応したパラボラアンテナＡ２の角度が実現されるように装置によりパラボラアンテナＡ２の角度を制御させることができる。また、オペレータは、更に、手動により、パラボラアンテナＡ２の角度を微調整することも可能である。
【００３８】
従って、本例のデジタル伝送システムでは、初期方向調整時におけるパラボラアンテナＡ２の角度情報や受信状況などを記録保存することにより、オペレータにとって、容易に且つ直感的に、パラボラアンテナＡ２（パラボラ回転装置２１）の方向調整を行うことができる。更に、図２に示されるように受信状況などを地図上にハッチング表示などすることにより、良好な（或いは、最適な）パラボラアンテナＡ２の角度を視覚的に把握し易く表示することができる。また、図３に示されるようにオペレータにより良好だと判断されたパラボラアンテナＡ２の角度の情報などを一覧表示することにより、オペレータにより最適なものを選択し易くすることができる。
【００３９】
このように、本例では、デジタル信号を受信するパラボラアンテナＡ２の方向調整において、手動操作などによる初期の方向調整の制御状況を記録して保存すると同時に、そのときにおける受信装置の受信情報（本例では、ＢＥＲやＢＬや受信マージンなど）を記録して保存することにより、遠隔監視制御装置の表示部３３に記録した受信状態（例えば、１つ以上の最適受信状態）に関する情報を表示して、オペレータにより確認することができる。そして、オペレータは、記録したデータを元に、最も好ましい最適受信状態が実現されるように、装置によりパラボラ回転装置２１を制御させて、パラボラアンテナＡ２の角度を調整することができる。
【００４０】
ここで、放送の現場では、オペレータ（人）によりパラボラアンテナＡ２の角度の調整を素早く行う必要があることもあり、本例の装置はその調整作業を効果的に支援することができる。
また、高層ビルや地形などによる複数回の反射の影響などは、非常に複雑であるため、実際には、反射伝送経路を装置により素早く算出することができない場合も考えられ、本例のように、熟練したオペレータ（人）の感覚に依存する方が効率的な場合も多くある。本例では、オペレータが、まず、手探りで（或いは、装置により自動的にでもよい）パラボラ回転装置２１を制御してパラボラアンテナＡ２の角度を変化させながら、幾つかの良好なポイントで受信状況などをメモリに記録させておき、その後、その記録結果に基づいて、最良であると判断されるポイントに対応したパラボラアンテナＡ２の角度を装置により実現させることができる。
【００４１】
なお、本例のデジタル伝送システムでは、受信設備２や本社３の設備により、本社３のオペレータにより行われるパラボラアンテナＡ２の角度の調整作業に対する受信アンテナ調整支援装置が構成されている。
また、本例の受信アンテナ調整支援装置では、オペレータにより操作部３２を操作して入力された指示に応じて制御監視処理部３１が又は装置（例えば、制御監視処理部３１）により自動的に、被制御監視処理部２３を介してパラボラ回転装置２１を制御してパラボラアンテナ（受信アンテナ）Ａ２の角度を変化させる機能により角度変化手段が構成されており、デジタル受信ＦＰＵ２２が受信状況情報を検出する機能により受信状況検出手段が構成されており、オペレータにより操作部３２を操作して入力された指示に応じて図３に示されるような各番号のデータ（調整候補データ）を制御監視処理部３１がメモリ（本例では、制御監視処理部３１のメモリ）に記録する機能により記録手段が構成されており、前記メモリに記録された調整候補データに関する情報を図２や図３に示されるような態様で制御監視処理部３１が表示部３３の画面に表示する機能により表示手段が構成されており、オペレータにより操作部３２を操作して入力された指示に応じて、選択された１つの調整候補データに基づくパラボラアンテナＡ２の角度が設定されるように制御監視処理部３１が被制御監視処理部２３を介してパラボラ回転装置２１を制御する機能により角度設定手段が構成されている。
【００４２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４３】
【図１】本発明の一実施例に係るデジタル伝送システムの構成例を示す図である。
【図２】表示部に表示される地図表示の画面の一例を示す図である。
【図３】表示部に表示される一覧表示の画面の一例を示す図である。
【符号の説明】
【００４４】
１・・送信設備、  ２・・受信設備（基地局）、  ３・・本社、  １１・・送信ＦＰＵ、  ２１・・パラボラ回転装置、  ２２・・デジタル受信ＦＰＵ、  ２３・・被制御監視制御部、  ３１・・制御監視制御部、  ３２・・操作部、  ３３・・表示部、
１１１・・地図表示部、  １１２・・角度表示部、  １１３・・データ読み出しボタン、  １１４・・スタートボタン、  １１５・・手動操作ボタン部、  １１６・・受信状況表示部、  １２１・・送信設備表示点、  １２２・・受信設備表示点、  １２３・・水平角度表示線、  １２４・・ハッチング部、
【図１】
2009260423.tif 000003
【図２】
2009260423.tif 000004
【図３】
2009260423.tif 000005